(57)【特許請求の範囲】
【請求項１】
合成樹脂フィルムからなり、上縁部、両側縁部、底縁部に各シール部を有し、隅角部に設けられた切欠部を斜め方向に引き裂くことで注ぎ口部を形成させる易注出性包装容器において、
前記上縁シール部は、中央が幅広に形成され、中央より端縁に向けて先細る穏やかなカーブ形状を有しており、
両側縁シール部は、底縁から上端縁に向けてそのシール幅が単調に減少する穏やかなカーブ形状を有する
ことを特徴とする易注出性包装容器。
【請求項２】
前記注ぎ口部を形成させる隅角部の側縁シール部の接線と上縁シール部の接線とのなす角度（α）が、４５°以上９０°未満であることを特徴とする請求項１記載の易注出性包装容器。
【発明の詳細な説明】
【０００１】
【発明の属する技術分野】
本発明は、食品、化粧品あるいはトイレタリー品等の液体や粉体や粘調体を収納し、切欠部からの引き裂きにより開口する易注出性包装容器に関するものであり、シール形状を少し変形させることだけで、利手に関係なく使用できる易注出性包装容器に関する。
【０００２】
【従来の技術】
従来、食品、医薬品、トイレタリー品等の内容物を収容するものとして、高分子フィルムをベースとし、最内層がシーラント層よりなる複合または積層包装材を用いて縁部をシールした包装袋が知られ、その開封はノッチのような切欠部を起点として袋の非接着部を切り裂くことにより、ある一方向に先細りの注出部が現れ、そこから注ぐような包装容器が使用されている。
【０００３】
ところが、上記のような包装容器では、内容物の注出に際し、フィルム同士が密着する閉塞という現象が起き、内容物が出しにくい問題があり、内容物を出すために強い力を容器に与えなければならなかった。その際に、内容物が漏れたり、飛散したりするという問題があった。
【０００４】
さらに、注出部が左右どちらか一方にのみ存在する包装容器が多く、利手の違いによっては切欠部から引裂いた後に、包装容器を１８０度反転させた後に使用するという、ワンアクション多く必要とするものが存在する。
【０００５】
このような問題を解決する方法として、特異な形状を用いたものや、エンボス（フィルムを部分的に引き延ばして膨らませ内部に空洞を作る）を施すことで閉塞を防止したり、内部にプラスチック性の成形物をつけることで閉塞を防止したりする方法がある。
【０００６】
しかしながら上記の方法では、機械的なハード面の大幅な改良が必要であったり、製造工程が増えること、または余計なパーツが増えることでコストの上昇が起ったり、内容物の粘度に制限があったりと多くの問題があった。
【０００７】
【発明が解決しようとする課題】
本発明は、これまでの従来技術の問題点を改善するものであり、その課題とするところは、液体や粉体などを収納する周縁がシールされた包装容器において、利手に関係なく同じアクションで内容物を注ぎ出すことを可能にし、更に大幅な機械改造を必要とせずに、低コストで易注出性に優れた包装容器を提供することにある。
【０００８】
【課題を解決するための手段】
本発明において上記課題を達成するために、まず請求項１の発明では、合成樹脂フィルムからなり、上縁部、両側縁部、底縁部に各シール部を有し、隅角部に設けられた切欠部を斜め方向に引き裂くことで注ぎ口部を形成させる易注出性包装容器において、
前記上縁シール部は、中央が幅広に形成され、中央より端縁に向けて先細る穏やかなカーブ形状を有しており、
両側縁シール部は、底縁から上端縁に向けてそのシール幅が単調に減少する穏やかなカーブ形状を有する
ことを特徴とする易注出性包装容器である。
【０００９】
上記請求項１の発明において、上縁部に緩やかな左右対称の凹カーブ形状を施した場合にのみ、左右頭角部に同様の形状の注ぎ口が形成され、利手に関係なく同じアクションでノッチなどの切欠部から引裂き内容物を注ぐことができる易注出性包装容器を提供できる。
【００１０】
さらに、請求項１の発明によれば、上縁部に緩やかな凹カーブ形状を施したので、内容物を注ぐ際に包装袋の膨らみに連動し、注ぎ口の上端部が内側に入り込むような力が起るために口元部の閉塞を防止でき、かつ詰替え用途に関してはボトルなどに差込みやすい注ぎ口形状をなす易注出性包装容器を提供できる（図２参照）。
【００１１】
また、上記請求項１の発明では、側縁上部にも緩やかなカーブ形状を施したので、上に記載の同様の原理で更なる閉塞性が防止でき、差込む際にも更なる効果がみられることを特徴とした易注出性包装容器である。
【００１２】
請求項２の発明は、請求項１の発明において、前記注ぎ口部を形成させる隅角部の側縁シール部の接線と上縁シール部の接線とのなす角度（α）が、４５°以上９０°未満であることを特徴とする易注出性包装容器である。
【００１３】
このように、請求項２の発明では、注ぎ口部を形成させる隅角部の側縁シール部の接線と上縁シール部の接線とのなす角度（α）を４５度以上９０度未満とすることで、あらゆる粘度に対応した詰替え容器を提供できる。
角度（α）が４５度未満では注ぐ際に液だまり部（８）ができ、容器内に内容物の残留が見られるために適当ではない（図３参照）。また、角度（α）が９０度以上となると、前記記載の原理で内側に入り込む力が働かないため閉塞する要因となり、注出性の観点から好ましくないものとなる。
【００１４】
【発明の実施の形態】
以下発明の実施の形態を図面を用いて詳しく説明する。
本発明は、例えば、図１の正面概略図に示すように、合成樹脂フィルムからなり、上縁部（１）、両側縁部（２）、底縁部（４）に各シール部を有し、隅角部（３）に設けられた切欠部（５）を斜め方向に引き裂くことで注ぎ口部（６）を形成させる易注出性包装容器（１０）において、前記上縁シール部（１）と両側縁シール部（２）の全部又は一部は、中央が幅広に形成され、中央より端縁に向けて先細る穏やかなカーブ形状を有するものである。
【００１５】
上縁シール部（１）や左右両側の側縁シール部（２）に設ける、中央が幅広に形成され中央より端縁に向けて先細る穏やかなカーブ形状を有するシール部は、意図的につけたものであり、印刷などにより明確にした方が消費者にとって望ましい。
【００１６】
切欠部（５）は、Ｉ型ノッチ、Ｖ型ノッチ、Ｕ型ノッチどれでもよく、利手に左右されることないために、ノッチは左右二個所ずつ設けることが望ましい。
【００１７】
注ぎ口部（６）のシール幅は、ボトル等の容器（７）への差込みを考えると小さければ小さいほど望ましいが、充填後、上端部をシールした後、積み込み及び輸送工程において圧力による容器の破袋や、内容物の漏れを考慮すると、シール幅は２ｍｍ以上あるのが望ましい。
【００１８】
本製品は上縁部に左右対称の凹カーブ形状のシールを施した場合、注ぎ口部が２つ現れるために、万が一両方とも引裂いて注ぐと、内容物が他の一方からこぼれる可能性がある。そのために、印刷などによりどちらか片方だけ引裂いて、詰替えなどの作業を行うことを明示することが、消費者にとって望ましい。
【００１９】
なお、図１に示すような、注ぎ口部を２つの上部隅角部に設けたもの以外に、注ぎ口部を１つの上部隅角部に設けた形状としても良い。
【００２０】
【発明の効果】
本発明は以上の構成であるから、下記に示す効果がある。
即ち、包装容器のシール上縁部、更に側縁上部に緩やかな凹形状シールを施すことで、二つの注ぎ口部が形成され、どちらか一方のノッチなどの切欠部をきっかけに引裂くことで、左右の利手に束縛されることなくワンアクションで内容物を詰替えることができ、かつそのシール形状により注ぐ際の包材の膨らみによる注ぎ口部の閉塞を防止できる易注出性包装容器を提供できる。
【００２１】
また、上縁部及び側縁上部のシール形状を変えるだけなので、既存の包材を流用できるメリットがあり、更に充填後のシール形状を変更するだけなので、大幅な設備改造を必要とせずに行える利点も兼備えている。
【００２２】
さらに、凹カーブの形状（曲線の半径に起因）により、あらゆる粘度の内容物に対応することができる。
【図面の簡単な説明】
【図１】本発明の易注出性包装容器の一実施例を示す、正面概略図である。
【図２】引裂き後、注ぎ口開口部の閉塞防止機構を示す、要部説明図である。
【図３】注ぐ際の、注ぎ口部の角度による液だまりの発生する状況を示す、説明図である。
【符号の説明】
１‥‥上縁シール部
２‥‥側縁シール部
３‥‥隅角部
４‥‥底縁シール部
５‥‥切欠部
６‥‥注ぎ口部
７‥‥容器
８‥‥液だまり部
１０‥‥易注出性包装容器
【図１】
0004934931.tif 000002
【図２】
0004934931.tif 000003
【図３】
0004934931.tif 000004